(57)【特許請求の範囲】
【請求項１】
グリル付コンロに設けられたグリル庫の前面開口部を開閉するグリル扉であって、前記グリル庫の開口部縁に当接して該グリル庫を閉塞する扉本体と、該扉本体の上縁に沿って設けられた合成樹脂製の断熱部材とを備えるものにおいて、
前記断熱部材は、前記扉本体の前方に張り出して該扉本体の前面外側に臨む張出部と、前記扉本体の前面外側の外気を該断熱部材の冷却用空気として、該冷却用空気を前記張出部の下方から取り入れて該断熱部材の上面側に向かって案内する冷却空気案内路と、前記張出部の前端縁に沿って起立する起立壁とを備え、
前記起立壁は、その上縁が前記冷却空気案内路の上端よりも上方に位置するように形成されていることを特徴とするグリル扉。
【請求項２】
前記冷却空気案内路は、前記起立壁と前記扉本体の上縁との間に配設されていることを特徴とする請求項１記載のグリル扉。
【請求項３】
前記扉本体は、前記起立壁の後方面を覆う金属製の遮熱板を備えることを特徴とする請求項２記載のグリル扉。
【発明の詳細な説明】
【技術分野】
【０００１】
本発明は、グリル付コンロに設けられたグリル庫の前面開口部を開閉するグリル扉に関する。
【背景技術】
【０００２】
従来、この種のグリル扉として、下記特許文献１に見られるように、扉本体の上縁に沿って合成樹脂製の断熱部材が設けられているものが知られている。
【０００３】
扉本体は、グリル庫を閉塞する金属製の扉枠と、グリル庫内が視認できるようにガラス板が嵌め込まれた窓部と、グリル庫を開閉する際に使用者が把持するための把持部とを備えている。
【０００４】
また、断熱部材は、高温となったグリル扉の上縁に使用者が誤って触れたとき、熱さによる不快感を軽減するために設けられている。更に、下記特許文献１においては、扉本体の内部に冷却用の空気を流通させる通気路を形成し、断熱部材に、扉本体内部の通気路に連通する冷却用空気の排出孔を設けている。これにより、扉本体内部の通気路を通過した空気による断熱部材の冷却を図っている。
【先行技術文献】
【特許文献】
【０００５】
【特許文献１】特開２０１２−４２１０６号公報
【発明の概要】
【発明が解決しようとする課題】
【０００６】
しかし、扉本体内部の通気路を通過する冷却用空気は、断熱部材の冷却に先立って扉本体を冷却する。このため、断熱部材の排出孔を通過する冷却用空気は既に温度が高い状態となっており、断熱部材の温度を十分に低減させることができなかった。
【０００７】
上記の点に鑑み、本発明は、断熱部材の温度上昇を抑えて、使用者が触れた際の熱さによる不快感を軽減することができるグリル扉を提供することを目的とする。
【課題を解決するための手段】
【０００８】
本発明は、グリル付コンロに設けられたグリル庫の前面開口部を開閉するグリル扉であって、前記グリル庫の開口部縁に当接して該グリル庫を閉塞する扉本体と、該扉本体の上縁に沿って設けられた合成樹脂製の断熱部材とを備えるものにおいて、前記断熱部材は、前記扉本体の前方に張り出して該扉本体の前面外側に臨む張出部と、前記扉本体の前面外側の外気を該断熱部材の冷却用空気として、該冷却用空気を前記張出部の下方から取り入れて該断熱部材の上面側に向かって案内する冷却空気案内路と、前記張出部の前端縁に沿って起立する起立壁とを備え、前記起立壁は、その上縁が前記冷却空気案内路の上端よりも上方に位置するように形成されていることを特徴とする。
【０００９】
前記断熱部材は、使用者が直接扉本体の上縁に触れることを防止している。本発明においては、断熱部材の前記張出部に前記冷却空気案内路を設けることによって、断熱部材の冷却が行われるようにしている。
【００１０】
即ち、断熱部材の張出部は、扉本体の前面外側に臨むようにして扉本体の前方に張り出している。冷却空気案内路は、扉本体の前方に張り出す張出部に設けられていることにより、扉本体の前面外側の外気を下方から取り入れ可能となっている。扉本体の前面外側の外気は、従来のような扉本体内部の空気に比べて温度が低い。そして、比較的低温の外気が冷却空気案内路を通ることにより、断熱部材が冷却される。これにより、断熱部材の温度上昇を抑えることができ、使用者が断熱部材に触れた際の熱さによる不快感を軽減することができる。
【００１１】
ここで、扉本体の前面外側の外気の流れについて説明する。グリル庫の前面開口部を閉塞しているグリル扉は、グリル庫内の熱源からの輻射熱によって熱せられる。グリル扉の温度上昇に伴い、扉本体の前面近傍の外気が扉本体の前面に沿って上昇する。このとき生じた流れに乗って、扉本体の前面近傍の外気が断熱部材の張出部に向かい、冷却空気案内路を通過する。冷却空気案内路を通過する空気は、扉本体の前面外側の外気であるため、グリル扉の温度上昇の影響を受けても然程高温にならない。よって、冷却空気案内路を通過する扉本体の前面外側の外気によって断熱部材が十分に冷却される。
【００１２】
また、グリル扉によるグリル庫の閉塞が不完全（所謂半開き状態）であるときには、グリル庫内からの比較的高温の熱気がグリル扉の上方を経て前方に向かう。このとき冷却空気案内路が断熱部材の上面側で開放されていることにより扉本体の前面外側の外気が断熱部材の上面側の熱気に引き込まれる。これにより、冷却空気案内路を通過する外気により断熱部材が冷却されると共に、断熱部材の上面側の熱気が冷却空気案内路を通過した外気により希釈され、断熱部材の温度上昇が抑えられる。このようにして断熱部材の温度上昇が抑えられることにより、使用者が断熱部材に触れた際の熱さによる不快感を軽減することができる。しかも、断熱部材の温度上昇が抑えられることにより、熱による断熱部材の変形や劣化を防止することができる。
【００１３】
更に、グリル扉とグリル庫の前面開口部との間から漏れる熱気によって、コンロの天板前縁が熱せられることがあるが、熱気が冷却空気案内路を通過した外気により希釈されることによってコンロの天板前縁の温度上昇も抑えることができる。
【００１４】
ところで、扉本体がグリル庫内の熱源の輻射熱を受けると扉本体の熱の影響によって断熱部材の温度も上昇する。このとき、断熱部材は、扉本体の上縁の直上に位置する部分においては扉本体の熱の影響を受け易く温度が比較的高くなるが、張出部の前端縁は、扉本体の熱の影響を受け難いため扉本体の上縁の直上位置よりも温度が低い。そこで、起立壁を設けたことによって、断熱部材の比較的温度の高い扉本体の上縁の直上位置を、使用者にとって触れ難くすることができる。
【００１５】
また、本発明の断熱部材においては、前記冷却空気案内路を、前記起立壁と前記扉本体の上縁との間に配設することが好ましい。
【００１６】
起立壁は、張出部の前端縁に沿って設けられているだけでなく、冷却空気案内路よりも前方位置に設けられていることにより、扉本体からの熱伝達が抑えられ、使用者が起立壁の上縁に触れた場合であっても、熱による不快感を一層軽減することができる。
【００１７】
また、本発明において前記起立壁を備える場合に、前記扉本体は、前記起立壁の後方面を覆う金属製の遮熱板を備えることが好ましい。
【００１８】
起立壁の後方面を金属製の遮熱板で覆うことにより、グリル庫内から比較的高温の熱気が漏れても、起立壁に熱気が直接当たることを阻止することができる。これにより、起立壁の温度上昇を確実に抑えることができるだけでなく、熱による起立壁の変形や劣化も確実に抑えることができる。
【図面の簡単な説明】
【００１９】
【図１】本発明の実施形態のグリル扉を備えるグリル付コンロの正面図。
【図２】本実施形態のグリル扉の後面側を示す斜視図。
【図３】本実施形態のグリル扉の断面図。
【図４】本実施形態のグリル扉に設けた断熱部材の平面図。
【図５】断熱部材の作用を示す説明的断面図。
【発明を実施するための形態】
【００２０】
本発明の一実施形態を図面に基づいて説明する。図１に示すように、本実施形態のグリル扉１は、グリル付コンロ２の前面側の中央部に設けられ、グリル付コンロ２の内部に設けられたグリル庫３（図３及び図５に一部を示す）の前方を開閉するものである。
【００２１】
グリル付コンロ２は、コンロ本体４の上部にコンロ天板５が設けられ、コンロ天板５にはその上方に露出するコンロバーナ６，７が設けられている。グリル付コンロ２の前面側におけるグリル扉１の両側には、各コンロバーナ６，７を夫々点火操作する操作スイッチ８，９や、グリル庫３内の図示しないグリルバーナを点火操作する操作スイッチ１０等が設けられている。
【００２２】
グリル扉１は、図２及び図３に示すように、扉本体１１と、断熱部材１２とを備えている。扉本体１１は、鉄やステンレス等の金属により形成された扉枠１３と、耐熱合成樹脂製の前パネル１４と、矩形状のガラス板１５とを備えている。
【００２３】
扉枠１３には、グリル庫３の内部を視認可能とする窓部１６が形成されている。扉枠１３の前面には、ガラス板１５が嵌め込み支持されている。ガラス板１５はグリル庫３の内部を視認可能な状態で窓部１６の前面を覆う。
【００２４】
扉枠１３の窓部１６の下方には内面板１７が一体に設けられている。前パネル１４は、ガラス板１５の下方に位置して扉枠１３の内面板１７に複数のねじ部材１８により連結されている。
【００２５】
図１及び図３に示すように、前パネル１４の前面側には把持部１９が設けられており、この把持部１９を把持してグリル扉１の開閉操作が行えるようになっている。なお、グリル扉１には、図示しないが、グリル庫３内に収容する焼き網及び汁受け皿を支持する支持フレームの前端が連結されている。グリル扉１の開閉操作により焼き網及び汁受け皿の出し入れが行われ、焼き網には魚等の調理物が載置される。
【００２６】
グリル庫３から焼き魚等を取り出すためにグリル扉１を引き出すときには、使用者の手等が誤ってグリル扉１の上縁に触れるおそれがある。そこで、使用者がグリル扉１の上縁に触れたときの熱さによる不快感を軽減するため、扉本体１１の上縁の全長にわたって断熱部材１２が設けられている。
【００２７】
断熱部材１２は、ポリフェニレンサルファイド樹脂（ＰＰＳ）等の硬質合成樹脂により形成されている。断熱部材１２は、図２及び図４に示すように、長手方向の両端部の夫々に固定基部２０を備え、ねじ部材２１によって扉枠１３の上縁の両端部に連結固定されている。
【００２８】
断熱部材１２の両固定基部２０間には、張出部２２が形成されており、張出部２２の前端縁には起立壁２３が形成されている。張出部２２は、図３に示すように、扉本体１１の前面となるガラス板１５より前方に張り出している。
【００２９】
更に、図３及び図４に示すように、張出部２２におけるガラス板１５側に位置する後端部には、複数の切欠き部２４が形成されている。この切欠き部２４は、ガラス板１５との間に空隙を形成しており、この空隙は、ガラス板１５の前面と起立壁２３との間において断熱部材１２の上下方向に通気自在となる冷却空気案内路２５を構成している。
【００３０】
図２及び図３に示すように、断熱部材１２が取り付けられている扉枠１３の上端部には、ガラス板１５の前方に向かって延びる延出部２６が形成され、延出部２６の前端縁には舌状片２７が形成されている。延出部２６と舌状片２７とは扉枠１３の上端に一体に連設された部分に曲げ加工を施すことにより形成されている。
【００３１】
扉枠１３の延出部２６は、断熱部材１２の張出部２２の上面を覆い、扉枠１３の舌状片２７は、断熱部材１２の起立壁２３の後方面を覆う。延出部２６には複数の貫通孔２８が形成されており、冷却空気案内路２５を通る気流を妨げないようになっている。舌状片２７は、起立壁２３の後方面を覆うことにより、本発明の遮熱板として機能する。
【００３２】
次に、断熱部材１２における各部の作用について説明する。グリル庫３内のグリルバーナの燃焼による調理が行われると、グリル扉１の内部に面した金属製の扉枠１３の温度が比較的高くなる。断熱部材１２は合成樹脂製であることにより、扉枠１３からの熱伝達による温度の上昇が抑えられる。また、断熱部材１２は、扉枠１３の直上位置よりも張出部２２の前端側の温度が低くなる。比較的低い温度に維持される張出部２２の前端縁に起立壁２３を設けたことにより、使用者が起立壁２３に触れたときの熱による不快感が軽減される。しかも、使用者が起立壁２３に接触しても、断熱部材１２の比較的温度の高い扉本体１１の直上部分は起立壁２３が邪魔になって触れ難く、これによっても、使用者の熱による不快感が軽減できる。
【００３３】
グリル扉１は、図３に示すように、グリル庫３の開口部周壁２９に当接することによりグリル庫３を閉塞する。グリル庫３内のグリルバーナの燃焼による調理が行われると、グリル扉１の温度が上昇するだけでなく、グリル庫３からの熱がグリル庫３の開口部周壁２９にも伝達される。そして、グリル庫３の開口部周壁２９からの熱によって、断熱部材１２の上方に位置するコンロ天板５の前端部の下方空間では、熱こもりが発生する。
【００３４】
一方、グリル扉１の温度上昇に伴い、図５（ａ）に示すように、グリル扉１の前面（ガラス板１５の前面）に沿って熱による上昇気流が発生する。この気流は、グリル扉１の前面外側の比較的温度の低い外気を引き込みながら冷却用空気として張出部２２の下面に向かい、張出部２２の切欠き部２４から冷却空気案内路２５に入る。このとき、冷却空気案内路２５を通過する外気（冷却用空気）により、断熱部材１２の張出部２２や扉枠１３の延出部２６が冷却される。
【００３５】
更に、冷却空気案内路２５を通過して上方に向かう外気（冷却用空気）は、コンロ天板５の前端部の下方空間を通って前方に流れ出る。これにより、コンロ天板５の前端部の下方空間に気流が発生し、当該空間の熱こもりが解消される。
【００３６】
また、扉枠１３の舌状片２７による遮熱板としての作用により、グリル庫３の開口部周壁２９からの熱により起立壁２３が加熱されるのを防止する。しかも、冷却空気案内路２５を通過した外気（冷却用空気）は、扉枠１３の舌状片２７及び起立壁２３に接することにより、舌状片２７及び起立壁２３が冷却されて温度上昇が抑えられる。
【００３７】
また、図５（ｂ）に示すように、グリル扉１によるグリル庫３の閉塞が不完全（所謂半開き状態）で、グリル扉１とグリル庫３の開口部周壁２９との間に隙間が生じていると、グリル庫３内からの比較的高温の熱気がグリル扉１の上方に多量に流出する。そして、この熱気流は、断熱部材１２及びコンロ天板５の前端部下面に接して温度を上昇させるおそれがある。
【００３８】
このとき、扉枠１３の舌状片２７による遮熱板としての作用により、グリル庫３からの熱気流の熱を遮断して起立壁２３の温度上昇が抑えられる。更に、前述した通り、グリル扉１の前面（ガラス板１５の前面）の外側の外気（冷却用空気）が断熱部材１２の冷却空気案内路２５を通過して断熱部材１２の上方に向かう。このため、グリル庫３内からの熱気流は、冷却空気案内路２５を通過する外気（冷却用空気）により希釈される。これにより、グリル庫３内からの熱気流の温度も低下し、断熱部材１２及びコンロ天板５の前端部下面の温度上昇が抑えられる。
【００３９】
以上のように、本実施形態の断熱部材１２によれば、断熱部材１２の温度上昇を確実に抑えることができ、断熱部材１２に使用者が触れたときの熱さによる不快感を軽減することができる。
【００４０】
なお、本実施形態においては、断熱部材１２の張出部２２に形成した切欠き部２４によって冷却空気案内路２５を構成した例を示したが、切欠き部２４に替えて上下に貫通する孔により冷却空気案内路２５を構成してもよい。
【００４１】
また、本実施形態においては、張出部２２に起立壁２３を設けると共に起立壁２３の後方面を覆う舌状片２７（遮熱板）を設けた例を示したが、前記冷却空気案内路２５を通過する冷却用空気の作用が十分に得られる場合には、起立壁２３や舌状片２７（遮熱板）を設けることなく断熱部材１２の上面を平坦に形成してもよい。
【００４２】
更に、本実施形態においては、断熱部材１２の張出部２２が扉本体１１の前方に比較的大きく張り出しているが、張出部２２の張り出し量は冷却空気案内路２５が形成できる領域が確保できればこれより小さくてもよい。
【符号の説明】
【００４３】
１…グリル扉、２…グリル付コンロ、３…グリル庫、１１…扉本体、１２…断熱部材、２２…張出部、２３…起立壁、２５…冷却空気案内路、２７…舌状片（遮熱板）、２９…開口部周壁（開口部縁）。
【図１】
0006005097.tif 000002
【図２】
0006005097.tif 000003
【図３】
0006005097.tif 000004
【図４】
0006005097.tif 000005
【図５】
0006005097.tif 000006